(57)【要約】【課題】印刷指示及び印刷データのみを保持した印刷環境において、印刷指示に対して追加描画オブジェクト（付加情報）の印刷に関する指示を保持するように構成することで、追加描画オブジェクトのみの更新や、変更、或いは修正等を可能にする印刷システムを提供する。【解決手段】対象ページの印刷データに追加描画オブジェクトを付加して印刷出力するにあたり、ジョブチケット生成手段１１４は、追加描画オブジェクトに関する情報及び印刷出力の指示情報に基づきジョブチケットを生成する。印刷出力手段１２０，１３０，１４０（ｘ）は、ジョブチケット生成手段１１４で生成されたジョブチケットに基づき印刷出力を実行する。【選択図】　　　図１
2004005576.tif 000002
【特許請求の範囲】
【請求項１】
印刷すべき文書データに追加描画オブジェクトを付加して印刷指示する情報処理装置であって、
文書データに対する印刷設定を記述したジョブチケットを作成するジョブチケット作成手段と、
前記文書データに対して付加する追加描画オブジェクトに関する設定を行う追加描画オブジェクト設定手段とを備え、
前記ジョブチケット作成手段は、前記追加描画オブジェクト設定手段による追加描画オブジェクトに関する設定に応じて、前記ジョブチケットを編集するものであり、前記追加描画オブジェクトを印刷するか印刷しないかを示す印刷フラグを記述したジョブチケットを作成することを特徴とする情報処理装置。
【請求項２】
前記追加描画オブジェクト設定手段は、前記追加描画オブジェクトのグループ名を設定するものであり、
前記ジョブチケット作成手段は、前記ジョブチケットの全体設定に、前記追加描画オブジェクト設定手段により設定された追加描画オブジェクトのグループ名及び印刷フラグを記述し、前記文書データの所定単位の設定領域に、前記追加描画オブジェクトのグループ名を記述することを特徴とする請求項１記載の情報処理装置。
【請求項３】
前記追加描画オブジェクト設定手段は、文書全体に対して前記追加描画オブジェクトを印刷するか否かを設定し、かつ、前記文書データの所定単位毎に対して例外設定として前記追加描画オブジェクトを印刷するか否かを独立して設定する印刷可否設定手段を備えており、
前記印刷可否設定手段により文書データの所定単位毎に独立して追加描画オブジェクトを印刷するか否かの設定がなされている場合に、前記ジョブチケット作成手段は、前記文書データの所定単位の設定領域に前記印刷フラグを記述したジョブチケットを作成することを特徴とする請求項１または２に記載の情報処理装置。
【請求項４】
前記文書データの所定単位は、出力用紙としての物理ページ単位または原稿としての論理ページ単位であることを特徴とする請求項３記載の情報処理装置。
【請求項５】
前記追加描画オブジェクトは、ウォータマークまたはアノテーションであることを特徴とする請求項１乃至４のいずれかに記載の情報処理装置。
【請求項６】
印刷すべき文書データに追加描画オブジェクトを付加して印刷指示する情報処理装置における印刷処理方法であって、
文書データに対する印刷設定を記述したジョブチケットを作成するジョブチケット作成工程と、
前記文書データに対して付加する追加描画オブジェクトに関する設定を行う追加描画オブジェクト設定工程とを含み、
前記ジョブチケット作成工程は、前記追加描画オブジェクト設定工程による追加描画オブジェクトに関する設定に応じて、前記ジョブチケットを編集するものであり、前記追加描画オブジェクトを印刷するか印刷しないかを示す印刷フラグを記述したジョブチケットを作成することを特徴とする印刷処理方法。
【請求項７】
前記追加描画オブジェクト設定工程は、前記追加描画オブジェクトのグループ名を設定するものであり、
前記ジョブチケット作成工程は、前記ジョブチケットの全体設定に、前記追加描画オブジェクト設定工程により設定された追加描画オブジェクトのグループ名及び印刷フラグを記述し、前記文書データの所定単位の設定領域に、前記追加描画オブジェクトのグループ名を記述することを特徴とする請求項６記載の印刷処理方法。
【請求項８】
前記追加描画オブジェクト設定工程は、文書全体に対して前記追加描画オブジェクトを印刷するか否かを設定し、かつ、前記文書データの所定単位毎に対して例外設定として前記追加描画オブジェクトを印刷するか否かを独立して設定する印刷可否設定工程を含んでおり、
前記印刷可否設定工程により文書データの所定単位毎に独立して追加描画オブジェクトを印刷するか否かの設定がなされている場合に、前記ジョブチケット作成工程は、前記文書データの所定単位の設定領域に前記印刷フラグを記述したジョブチケットを作成することを特徴とする請求項６または７に記載の印刷処理方法。
【請求項９】
前記文書データの所定単位は、出力用紙としての物理ページ単位または原稿としての論理ページ単位であることを特徴とする請求項８記載の印刷処理方法。
【請求項１０】
前記追加描画オブジェクトは、ウォータマークまたはアノテーションであることを特徴とする請求項６乃至９のいずれかに記載の印刷処理方法。
【請求項１１】
印刷すべき文書データに追加描画オブジェクトを付加して印刷指示する情報処理装置における印刷処理方法を実行させるための印刷処理プログラムであって、
文書データに対する印刷設定を記述したジョブチケットを作成するジョブチケット作成工程と、
前記文書データに対して付加する追加描画オブジェクトに関する設定を行う追加描画オブジェクト設定工程とを含む印刷処理方法を前記情報処理装置に実行させ、
前記ジョブチケット作成工程は、前記追加描画オブジェクト設定工程による追加描画オブジェクトに関する設定に応じて、前記ジョブチケットを編集するものであり、前記追加描画オブジェクトを印刷するか印刷しないかを示す印刷フラグを記述したジョブチケットを作成することを特徴とする印刷処理プログラム。
【請求項１２】
前記追加描画オブジェクト設定工程は、前記追加描画オブジェクトのグループ名を設定するものであり、
前記ジョブチケット作成工程は、前記ジョブチケットの全体設定に、前記追加描画オブジェクト設定工程により設定された追加描画オブジェクトのグループ名及び印刷フラグを記述し、前記文書データの所定単位の設定領域に、前記追加描画オブジェクトのグループ名を記述することを特徴とする請求項１１記載の印刷処理プログラム。
【請求項１３】
前記追加描画オブジェクト設定工程は、文書全体に対して前記追加描画オブジェクトを印刷するか否かを設定し、かつ、前記文書データの所定単位毎に対して例外設定として前記追加描画オブジェクトを印刷するか否かを独立して設定する印刷可否設定工程を含んでおり、
前記印刷可否設定工程により文書データの所定単位毎に独立して追加描画オブジェクトを印刷するか否かの設定がなされている場合に、前記ジョブチケット作成工程は、前記文書データの所定単位の設定領域に前記印刷フラグを記述したジョブチケットを作成することを特徴とする請求項１１または１２に記載の印刷処理プログラム。
【請求項１４】
前記文書データの所定単位は、出力用紙としての物理ページ単位または原稿としての論理ページ単位であることを特徴とする請求項１３記載の印刷処理プログラム。
【請求項１５】
前記追加描画オブジェクトは、ウォータマークまたはアノテーションであることを特徴とする請求項１１乃至１４のいずれかに記載の印刷処理プログラム。
【発明の詳細な説明】
【０００１】
【発明の属する技術分野】
本発明は、例えば、加工や、表示、或いは印刷等の印刷指示（以下、「ジョブチケット」とも言う）に従って情報を印刷処理するにあたり、特に、印刷指示及び印刷データを保持した印刷環境における付加情報出力機能の制御のための印刷指示に従って情報を印刷処理する装置或いはシステムに用いられる、情報処理装置、印刷処理方法、それを実施するためのプログラムに関するものである。
【０００２】
【従来の技術】
従来より例えば、ある印刷すべきデータ（印刷データ）を印刷出力する際に、オーバーレイ出力機能等の付加情報出力機能を用いて当該印刷出力するための制御方法としては、例えば、次のような方法（１）〜（４）が提案されている。
【０００３】
（１）特開平２−１３５５２４号等に記載の制御方法では、オーバーレイ出力機能を有するプリンタにおいて、プリンタに対する制御コマンドに基づいて、オーバーレイ出力機能による印刷出力制御を行う。
【０００４】
（２）特開平８−２０２８６３号等に記載の制御方法では、印刷データ（イメージデータ）を予め印刷装置（プリンタ）の内部メモリに登録しておき、オーバーレイを指示する指示データ及び個人データを印刷装置に対して送信し、印刷装置において、個人データと指示されたイメージデータを合成して印刷出力する。
【０００５】
（３）特開平１１−１４３６６８号等に記載の制御方法では、ホストコンピュータ上のプリンタドライバを介して、プリンタドライバの機能であるウォータマークやフォームオーバーレイ等の設定をマクロとしてホストコンピュータに登録し、必要なときに、当該マクロを実行することで、所望の印刷データをプリンタに対して送信する。
【０００６】
（４）米国アドビ社のアプリケーションであるＡｃｒｏｂａｔでは、ＰＤＦの文書に対して、注釈（アノテーション）を付加することができ、印刷時に、文書に付加した注釈を印刷するかしないかを切り替えることが可能である。またＰＤＦの文書に対して、ページ番号を付加することができる。
【０００７】
また、近年、印刷すべき文書データ（印刷データ）に対する印刷指示をジョブチケットとして文書データとは別に用意し、印刷時にジョブチケットに記述された印刷指示に応じて、適宜印刷データを修正した印刷ジョブを生成し、印刷させる仕組みが提案されている。そして、ジョブチケットの記述内容を標準化することが推し進められ、現在、ＪＤＦ準拠のジョブチケットには、印刷レイアウト（Ｎｕｐ）、印刷部数などの情報が記述されることになっている。
【０００８】
【発明が解決しようとする課題】
しかしながら、上述したような従来の制御方法（１）〜（４）では、次のような問題点（１）〜（４）があった。
【０００９】
問題点（１）：
特開平２−１３５５２４号等に記載の制御方法（１）、並びに特開平８−２０２８６３号等に記載の制御方法（２）では何れも、印刷装置がイメージデータをオーバーレイする機能（付加情報出力機能）を有し、その機能に対して印刷指示がなされ、当該印刷指示に従った処理が、その場限りの処理として実行されるので、例えば、ネットワーク上で保存された印刷データを再利用した印刷処理等が不可能であった。
【００１０】
問題点（２）：
特開平１１−１４３６６８号等に記載の制御方法（３）では、ホストコンピュータ上のプリンタドライバを介して、当該プリンタドライバの機能であるウォータマークやフォームオーバーレイ等をマクロとして登録するので、そのマクロを、例えば、他のコンピュータやサーバ等に移すことが困難であった。また、例えば、ネットワーク上で保存された印刷データを再利用した印刷処理が不可能であった。さらに、マクロ登録の際には、プリンタドライバの設定を使用するので、例えば、ページ単位の制御が不可能であった。
【００１１】
問題点（３）：
制御方法（１）〜（３）に共通する問題点として、例えば、ネットワーク等を介して印刷指示及び印刷データをやり取りする際に、対象印刷データに対する付加情報を、予め当該印刷データに埋め込む必要があった、という問題点が挙げられる。
【００１２】
問題点（４）：
米国アドビ社のＡｃｒｏｂａｔでは、上述したように注釈（アノテーション）を文書に付加し、印刷時に注釈を印刷する／印刷しないを選択的に切り替えることが可能であるが、文書に付加した注釈すべてを印刷するか印刷しないかを切り替えるものであり、一部の注釈を印刷するが、一部の注釈を印刷しないというような切替を行うことができなかった。また、注釈を印刷するか印刷しないかの選択は、印刷時にユーザが印刷ダイアログを用いて指示するため、印刷の度に注釈を印刷するか印刷しないかを選択しなければならず、操作性が悪いという問題があった。
【００１３】
尚、上記付加情報とは、例えば、アノテーションや、ウォータマーク、フォームオーバーレイ、或いはバリアブルデータ（ダイレクトメール等のように、印刷物のある特定の位置に顧客に合わせた印刷を行うためのデータ）等のデータを示す。以下、これを「追加描画オブジェクト」と言う。
【００１４】
また、追加描画オブジェクトを印刷データに埋め込む場合、次のような問題点▲１▼〜▲４▼があった。
【００１５】
▲１▼一旦印刷処理した印刷データ及び印刷指示を利用して再印刷処理を行う際に、当該印刷データに埋め込まれた追加描画オブジェクトのみに対して、更新や、変更、或いは修正等を行うことができなかった。
【００１６】
▲２▼追加描画オブジェクトのみに対して、更新や、変更、或いは修正等を行おうとした場合、印刷データに対して追加描画オブジェクトの埋込処理を行ったアプリケーションが必要となり、さらに、そのアプリケーションが稼動するオペレーティングシステム（ＯＳ）等の制約により、印刷可能な環境（例えば、ＯＳ、プリンタ、及びディスプレイ等）が限定されてしまっていた。このため、例えば、携帯電話等から修正印刷指示を発行することが不可能であった。
【００１７】
▲３▼印刷データ及び印刷指示のみを保存する場合、印刷データに対して追加描画オブジェクトを埋め込んだアプリケーションをも保存する必要が生じた。
【００１８】
▲４▼印刷データが、例えば、数千ページに及ぶような大量の印刷物の場合、それぞれのページの印刷データについて、追加描画オブジェクトの一括的更新や、変更、或いは修正等を行うことが困難であった。
【００１９】
そして、現在標準化されているジョブチケットの記述方法では、付加情報に対する指示が盛り込まれていないために、上述したように印刷データ自体に付加情報を埋め込む方法がとられている。しかしながら、印刷データに付加情報を埋め込む場合、埋め込まれた印刷データの原稿に付加情報を持たせているために、Ａｃｒｏｂａｔアプリケーションのように印刷時に注釈を印刷するか印刷しないかの択一的な選択に限られてしまい、ユーザにとって使い勝手が悪いものとなってしまうという問題がある。
【００２０】
そこで、本発明は、上記の欠点を除去するために成されたもので、印刷データおよび印刷データに対する印刷設定（ジョブチケット）を作成する印刷環境において、印刷設定に対して追加描画オブジェクト（付加情報）の印刷に関する指示を保持するように構成することで、追加描画オブジェクトのみの更新や、変更、或いは修正等を可能にする、情報処理装置、印刷処理方法、それを実施するためのプログラムを提供することを第一の目的とする。
【００２１】
また、本発明は、印刷データに対する印刷指示（ジョブチケット）の全体設定に付加情報をつける指示を保持し、かつ、任意の単位毎に付加情報をつける指示を保持するように構成することで、追加描画オブジェクト（付加情報）を、文書全体に対して付加することを設定でき、更に、任意の単位（出力用紙／原稿ページ）に対して全体設定とは独立して追加描画オブジェクトを付加する／付加しないを設定可能な情報処理装置、印刷処理方法、それを実施するためのプログラムを提供することを第二の目的とする。
【００２２】
【課題を解決するための手段】
本発明の情報処理装置は、印刷すべき文書データに追加描画オブジェクトを付加して印刷指示する情報処理装置であって、文書データに対する印刷設定を記述したジョブチケットを作成するジョブチケット作成手段と、前記文書データに対して付加する追加描画オブジェクトに関する設定を行う追加描画オブジェクト設定手段とを備え、前記ジョブチケット作成手段は、前記追加描画オブジェクト設定手段による追加描画オブジェクトに関する設定に応じて、前記ジョブチケットを編集するものであり、前記追加描画オブジェクトを印刷するか印刷しないかを示す印刷フラグを記述したジョブチケットを作成することを特徴としている。
【００２３】
本発明の印刷処理方法は、印刷すべき文書データに追加描画オブジェクトを付加して印刷指示する情報処理装置における印刷処理方法であって、文書データに対する印刷設定を記述したジョブチケットを作成するジョブチケット作成工程と、前記文書データに対して付加する追加描画オブジェクトに関する設定を行う追加描画オブジェクト設定工程とを含み、前記ジョブチケット作成工程は、前記追加描画オブジェクト設定工程による追加描画オブジェクトに関する設定に応じて、前記ジョブチケットを編集するものであり、前記追加描画オブジェクトを印刷するか印刷しないかを示す印刷フラグを記述したジョブチケットを作成することを特徴としている。
【００２４】
本発明の印刷処理プログラムは、印刷すべき文書データに追加描画オブジェクトを付加して印刷指示する情報処理装置における印刷処理方法を実行させるための印刷処理プログラムであって、文書データに対する印刷設定を記述したジョブチケットを作成するジョブチケット作成工程と、前記文書データに対して付加する追加描画オブジェクトに関する設定を行う追加描画オブジェクト設定工程とを含む印刷処理方法を前記情報処理装置に実行させ、前記ジョブチケット作成工程は、前記追加描画オブジェクト設定工程による追加描画オブジェクトに関する設定に応じて、前記ジョブチケットを編集するものであり、前記追加描画オブジェクトを印刷するか印刷しないかを示す印刷フラグを記述したジョブチケットを作成することを特徴としている。
【００２５】
【発明の実施の形態】
以下、本発明の実施の形態について図面を用いて説明する。
【００２６】
［第１の実施の形態］
本発明は、例えば、図１に示すような印刷システムに適用される。
【００２７】
＜印刷システムの構成＞
印刷システムは、上記図１に示すように、情報処理装置であるホストコンピュータ１００（印刷データ編集装置１１０、印刷集中管理サーバ１２０、文書管理サーバ１５０）、印刷サーバ１３０、及び出力デバイス（印刷デバイス）１４０（ｘ）が、ネットワーク等を介して互いに通信可能なように接続された構成としている。
【００２８】
尚、上記図１では、説明の簡単のため、１つの出力デバイス１４０（ｘ）のみを示しているが、これは複数の出力デバイス１４０（１），１４０（２），・・・の中の任意の出力デバイス１４０（ｘ）に相当する。
【００２９】
ホストコンピュータ１００の印刷データ編集装置１１０は、印刷情報入力部１１１、追加描画オブジェクトグループ設定部１１２、追加描画オブジェクト印刷可否設定部１１３、及びジョブチケット作成部１１４を含んでいる。
【００３０】
印刷情報入力部１１１は、印刷の原稿となる文書データ（以下、印刷データと呼ぶ）、当該原稿を構成する各ページの印刷データに対する追加描画オブジェクトとなる印刷データ、及び印刷データの加工や、表示、或いは印刷等の印刷指示を含む印刷情報等を入力する。
【００３１】
印刷情報入力部１１１は、具体的には、ＰＤＦ　Ｗｒｉｔｅｒのように、任意のアプリケーションで作成した文書を出力する場合に、出力先として指定される出力モジュールを含み、任意のアプリケーションが出力した描画内容（ＧＤＩ関数）をＯＳの描画手段を介して受け取り（ＤＤＩ関数）、ＰＤＦのような編集可能な文書フォーマットに変換する機能を備えている。
【００３２】
よって、印刷情報入力部１１１からジョブチケット作成部１１４に渡される文書データは、後述する説明では印刷データと表記するが、本システムで編集可能なフォーマットの文書（例えばＰＤＦ）に相当するものであり、ＰＤＬ（ページ記述言語）のような出力デバイスに依存するデータ形式のプリンタ制御コマンドとは違うものである。
【００３３】
また、印刷情報入力部１１１は、入力される原稿の印刷データに対して、当該原稿を構成する各ページのページ順序を入れ替えたり、削除したりする編集機能を備えており、更には、当該原稿の印刷データを印刷する際の印刷設定（印刷レイアウト（Ｎｕｐ印刷、ポスター印刷）、印刷方法（片面印刷、両面印刷、製本印刷）、余白設定、フィニッシング設定（ステープル、中綴じ、パンチ）をユーザが設定する印刷設定機能を備えている。
【００３４】
追加描画オブジェクトグループ設定部１１２は、印刷情報入力部が生成した各ページの印刷データに対してウォータマークや日付などの付加情報である描画オブジェクトを追加する場合に、印刷データに対する追加描画オブジェクトが、どのようなグループに属するかを設定するため構成である。
【００３５】
追加描画オブジェクト印刷可否設定部１１３は、印刷データに追加された追加描画オブジェクトを、各ページ毎、或いは各グループ毎に追加描画オブジェクトを印刷するか否かを設定するための構成である。追加描画オブジェクトグループ設定部１１２と追加描画オブジェクト印刷可否設定部１１３とをまとめて、描画オブジェクト追加設定部１１５と呼ぶ。
【００３６】
ジョブチケット作成部１１４は、印刷情報入力部１１１で入力された情報（印刷データに対する加工や、表示、或いは印刷等の印刷指示情報）、追加描画オブジェクトグループ設定部１１２により設定された情報（各ページの追加描画オブジェクトが、どのようなグループに属するかという情報）、及び追加描画オブジェクト印刷可否設定部１１３により設定された情報（各ページ毎、或いは各グループ毎に追加描画オブジェクトを印刷するか否かという情報）等に基づいて、文書データに対する印刷設定を記述したジョブチケットを作成する。
【００３７】
ここで作成されるジョブチケットには、印刷情報入力部１１１の編集機能により編集された印刷データの各ページが、用紙のどこに配置されるかを示すレイアウト指定、追加描画オブジェクトの指定（リンク）、追加描画オブジェクトの属するグループ指定、各グループごとに追加描画オブジェクトを印刷するか否かを示す情報、印刷部数、フィニッシング指定などが記述されている。ジョブチケットは文書データ（印刷データ）とは独立して作成されるものである。詳細については、図７以降で後述する。
【００３８】
ホストコンピュータ１００の印刷集中管理サーバ１２０は、印刷情報制御部１２１及びジョブチケット編集部１２２を含んでいる。なお、印刷集中管理サーバ１２０の各構成は、ホストコンピュータ１００とは別の装置上に設けてもよいが、ホストコンピュータ１００内に備えていることが望ましい。
【００３９】
印刷情報制御部１２１は、ジョブチケット作成部１１４で作成されたジョブチケットと、印刷データとの１セットの印刷情報に基づき、印刷動作を制御する。ジョブチケット編集部１２２は、ジョブチケット作成部１１４で作成されたジョブチケットによる指示の一部分或いは全部に対して、追記や変更等の編集を施す機能を備えている。
【００４０】
印刷サーバ１３０は、出力部情報取得部１３１、印刷指示解釈部１３２、印刷情報加工部１３３、及び印刷情報送信部１３４を含んでいる。なお、印刷サーバ１３０は、ホストコンピュータ１００と分けて説明しているが、印刷サーバ１３０の各構成をホストコンピュータ１００に備えてもよい。
【００４１】
出力部情報取得部１３１は、出力デバイス１４０（ｘ）の動作状況や、その出力デバイスＩＤ等の情報を取得する機能を備えている。
印刷指示解釈部１３２は、ジョブチケット作成部１１４で作成されたジョブチケット、或いはジョブチケット編集部１２２で編集されたジョブチケットを解釈する機能を備えている。
【００４２】
印刷情報加工部１３３は、印刷指示解釈部１３２の解釈結果に基づいて、印刷情報を加工して、その出力の準備を行う機能を備えている。印刷情報加工部１３３は、具体的には出力デバイス１４０（ｘ）に対応するプリンタドライバに相当し、印刷指示解釈部１３２で解釈された結果に基づいて、ページ記述言語で記述された印刷ジョブを生成する。
印刷情報送信部１３４は、印刷情報加工部１３３による加工後の印刷ジョブを、プリンタ等の出力デバイス１４０（ｘ）に対して送信する機能を備えている。
【００４３】
出力デバイス１４０（ｘ）は、印刷情報出力部１４１を含み、この印刷情報出力部１４１により印刷ジョブを出力イメージに変換し、記録紙上に画像として出力する。
【００４４】
ホストコンピュータ１００の文書管理サーバ１５０は、印刷情報保存管理部１５１及び印刷情報保存部１５２を含んでいる。なお、印刷集中管理サーバ１２０の各構成は、ホストコンピュータ１００とは別の装置上に設けてもよいが、ホストコンピュータ１００内に備えていることが望ましい。
【００４５】
印刷情報保存管理部１５１は、印刷情報保存部１５２を管理する。印刷情報保存部１５２は、ジョブチケットと印刷データを１セットとする印刷情報を保存する。
【００４６】
尚、本実施の形態では、その一例として、追加描画オブジェクトを“ウォータマーク”とし、出力デバイス１４０（ｘ）をネットワーク上に接続されたプリンタとし、当該プリンタで印刷処理を実行するものとする。また、グループ一括印刷可か否かの設定をも可能であるものとする。
【００４７】
＜印刷システム１００の動作＞
図２〜図５は、印刷システムとしてのホストコンピュータ１００及び印刷サーバ１３０の動作をフローチャートにより示したものである。
【００４８】
ステップＳ２０１：図２参照
ホストコンピュータ１００の印刷データ編集装置１１０において、印刷情報入力部１１１は、任意のアプリケーションから印刷すべき情報を入力し、フォーマット変換することで、印刷データ及び印刷指示を入力する。
印刷データとしては、例えば、ＰＤＦ（ＰｏｒｔａｂｌｅＤｏｃｕｍｅｎｔＦｏｒｍａｔ）等に従ったデータを適用可能である。印刷指示としては、例えば、部数、用紙サイズ、各種フィニッシング、片面／両面、Ｎ−Ｕｐ、拡大縮小、及び印刷ページ指定等の指示を適用可能である。
【００４９】
ステップＳ２０２：
描画オブジェクト追加設定部１１５は、ユーザからの指定に応じて、追加描画オブジェクトを入力する。
具体的には例えば、追加描画オブジェクトとして、図６に示すような、「部外秘」のウォータマーク６０２及び「Ｃｏｎｆｉｄｅｎｔｉａｌ」のウォータマーク６０３を用いる。これらのウォータマーク６０２，６０３は、ページ毎の印刷データ６０１（ここでは１ページ〜１１ページの印刷データ）と同様に、予め別の画像ファイルとして生成されており、印刷用画像データ毎の印刷領域毎に対して挿入されるものである。
【００５０】
尚、ジョブチケットでは、ファイルへのリンクのみを保持するものとする。
【００５１】
ステップＳ２０３：
追加描画オブジェクトグループ設定部１１２は、描画オブジェクト追加設定部１１５により入力された追加描画オブジェクトのグループ名を設定する。
【００５２】
ステップＳ２０４：
追加描画オブジェク印刷可否設定部１１３は、追加描画オブジェクトグループ設定部１１２で設定された追加描画オブジェクトのグループ毎の印刷可否を設定する。
【００５３】
尚、追加描画オブジェクトグループ設定部１１２により、追加描画オブジェクトのグループ名を変更することで、複数の追加描画オブジェクトを入力することが可能となる。
【００５４】
ステップＳ２０５：
ジョブチケット作成部１１４は、印刷情報入力部１１１で入力された印刷指示（部数、用紙サイズ、ステープル、カラー印刷、片面／両面、Ｎ−Ｕｐ、拡大縮小、及び印刷ページ指定等）と、描画オブジェクト追加設定部１１５から入力された追加描画オブジェクト（ウォータマーク、アノテーション、スタンプなど）に関する情報に基づいて、ジョブチケットを生成する。
【００５５】
具体的には例えば、図３に示すように、先ず、ステップＳ３０１において、ジョブチケット作成部１１４は、印刷情報入力部１１１から入力されたＮ−Ｕｐや、拡大縮小、用紙サイズ、或いは片面／両面設定等のレイアウト関連の情報をジョブチケットにセット（レイアウト設定処理）する。
【００５６】
そして、ステップＳ３０２において、ジョブチケット作成部１１４は、ジョブチケットに印刷部数のセットを行う（印刷部数設定処理）。そして、ステップＳ３０３において、ジョブチケット作成部１１４は、ジョブチケットに印刷ページ範囲をセットする（印刷ページ範囲指定処理）。そして、ステップＳ３０４において、ジョブチケット作成部１１４は、ジョブチケットにステープル情報をセットする（ステープル設定処理）。
【００５７】
そして、ステップＳ３０５において、ジョブチケット作成部１１４は、ジョブチケットに描画オブジェクト追加設定部１１５から入力された追加描画オブジェクトに関する情報をセットする（追加描画オブジェクト関連情報設定処理）。
【００５８】
図４は、上記ステップＳ３０５の追加描画オブジェクト関連情報設定処理を具体的に示したものである。
【００５９】
上記ステップＳ３０５の追加描画オブジェクト関連情報設定処理では、先ず、ステップＳ４０１において、ジョブチケット作成部１１４は、例えば、図７に示すように、追加描画オブジェクトグループ設定部１１２により予め設定されたグループ名（“ｂｕｇａｉｈｉ−１”等）で、ジョブチケットの全体設定領域である＜全体指示部＞の下に＜グループ指示部＞を作成する。
【００６０】
次に、ステップＳ４０２において、ジョブチケット作成部１１４は、追加描画オブジェク印刷可否設定部１１３により予め設定された追加描画オブジェクトのグループ毎の印刷可否に従って、グループ毎の追加描画オブジェクトの一括印刷をするか否かを判断する。一括印刷をしないと判断された場合は、ステップＳ４０４の処理を実行し、一括印刷をすると判断された場合は、ステップＳ４０３の処理を実行する。
【００６１】
例えば、対象グループの追加描画オブジェクトを一括印刷する場合、ステップＳ４０３において、ジョブチケット作成部１１４は、上記図７に示すように、対象グループに対応する印刷フラグ（ジョブチケットの＜グループ指示部＞の印刷フラグ）に対して“Ｔｒｕｅ”をセットする。
【００６２】
一方、対象グループの追加描画オブジェクトを全て印刷しない場合、ステップＳ４０４において、ジョブチケット作成部１１４は、上記図７に示すように、対象グループに対応する印刷フラグ（ジョブチケットの＜グループ指示部＞の印刷フラグ）に対して“Ｆａｌｓｅ”をセットする。
【００６３】
ステップＳ４０３又はステップＳ４０４の処理後、ステップＳ４０５において、ジョブチケット作成部１１４は、上記図７に示すように、ジョブチケットにより指定された印刷出力ページの＜ページ単位指示部＞（各印刷単位（章、シート、ページ）の設定領域に相当する）に対して、＜追加オブジェクト指示部＞を作成する。
【００６４】
さらに、ステップＳ４０６において、ジョブチケット作成部１１４は、上記図７に示すように、ステップＳ４０１で用いられたグループ名を、ステップＳ４０５で作成された＜追加描画オブジェクト指示部＞に対してセットする。
これにより、対象グループと、その追加描画オブジェクトとを関連付けることができる。
【００６５】
上述のようなステップＳ２０５のジョブチケット作成処理（図３および図４）の結果により、上記図７に示すようなジョブチケットが得られることになる。
【００６６】
尚、上記図７は、ＸＭＬ方式に従って、追加描画オブジェクト関連情報のセット結果や印刷指示の一部を設定した場合のジョブチケットの一部分の一例を示したものであり、これに限られることはない。また、リンクには、それぞれファイル名のみを示している。
【００６７】
図７に示すように、ジョブチケット作成部１１４は、追加描画オブジェクトのグループ名と対象グループに対応する印刷フラグ（追加描画するかしないかを示すフラグ）とをジョブチケットの全体設定に書き込み、描画オブジェクト追加設定部１１５からの追加オブジェクト指示により対象となる印刷出力ページに追加描画オブジェクトのグループ名を書き込む。
【００６８】
これにより、例えば、アノテーションのように、ホストコンピュータ１００上のアプリケーション等で印刷データの原稿を表示する際にアノテーションを表示させるが、印刷時には、アノテーションを印刷させない場合には、上述したようなジョブチケットを作成すれば、ジョブチケットの全体指示に書き込まれている追加描画オブジェクトの対象グループに対応する印刷フラグを「Ｆａｌｓｅ」（０または１などのようにしてもよいことは言うまでもない）として記載すれば、追加されているオブジェクトの印刷は行わないので、簡単にユーザが所望とする印刷結果を得ることが可能となる。
また、追加されている描画オブジェクトを印刷したい場合は、全体指示に書き込まれている対象グループの印刷フラグを「Ｔｒｕｅ」に変更するだけで実現できる。
【００６９】
上記図７に示したような、ホストコンピュータ１００（情報処理装置）の印刷データ編集装置１１０で生成されたジョブチケットは、印刷データ編集装置１１０に対するユーザからの印刷指示に応じて、印刷集中管理サーバ１２０に供給される。
【００７０】
印刷集中管理サーバ１２０において、印刷情報制御部１２１は、ホストコンピュータ１００から受け取ったジョブチケットに基づいて、次のステップＳ２０６からの処理を実行することで、印刷動作を制御する。
【００７１】
ステップＳ２０６：
印刷情報制御部１２１は、印刷サーバ１３０に対して、プリンタ用印刷情報としてジョブチケット及び印刷データを送信する。
【００７２】
ステップＳ２０７：
印刷サーバ１３０は、印刷集中管理サーバ１２０からのジョブチケット及び印刷データに基づいて、印刷処理を実行する。
【００７３】
具体的には例えば、印刷サーバ１３０は、出力デバイス（プリンタ）毎に、図５に示すような処理を実行する。図５は、印刷サーバ１３０（Ｓ５０１〜Ｓ５０４、Ｓ５０６）と出力デバイス１４０（Ｓ５０５）における制御を説明するためのフローチャートである。
【００７４】
すなわち、先ず、ステップＳ５０１において、印刷指示解釈部１３２は、印刷情報制御部１２１から印刷情報を受信する。そしてステップＳ５０２において、印刷指示解釈部１３２は、当該印刷情報に含まれるジョブチケットを解釈する。
【００７５】
次に、ステップＳ５０３において、印刷情報加工部１３３（プリンタドライバに相当する）は、当該解釈結果に基づいて、上記印刷情報に含まれる印刷データの印刷用描画データへの変換及び加工処理を実行することで、印刷用描画データ及びプリンタ制御データのページ記述言語からなる印刷ジョブを生成する。
【００７６】
このとき、上記図７に示されるように、＜全体指示部＞における＜グループ指示＞において、“ｂｕｇａｉｈｉ−１”のグループは、印刷フラグが”Ｔｒｕｅ”であるが、“ｂｕｇａｉｈｉ−２”のグループは、印刷フラグが“Ｆａｌｓｅ”であるので、“ｂｕｇａｉｈｉ−２”の“ｃｏｎｆｉｄｅｎｔｉａｌ．ｐｄｆ”に対応するウォータマーク６０３の印刷が抑制される。
【００７７】
これにより、上記図７に示す、ウォータマーク６０３のグループ名“ｂｕｇａｉｈｉ−２”が設定された４ページ〜７ページの印刷用画像データについては、上記図６に示すように、４ページ目の印刷用画像データ６０４のようにウォータマーク６０３が反映されず、ウォータマーク６０２のグループ名”ｂｕｇａｉｈｉ−１”が設定された１ページ〜３ページの印刷用画像データに対してのみ、ウォータマーク６０２が反映されることになる。
【００７８】
次に、ステップＳ５０４において、印刷情報送信部１３４は、ステップＳ５０３で得られた上記印刷用描画データ及びプリンタ制御データからなる印刷ジョブを出力デバイス１４０（ｘ）に対して送信する。
【００７９】
これにより、出力デバイス１４０（ｘ）において、印刷情報出力部１４１は、上記印刷用描画データ及びプリンタ制御データに基づいて、出力デバイス１４０（ｘ）であるプリンタによる印刷処理を実行することになる。ステップＳ５０５において、印刷サーバ１３０は、出力デバイス１４０（ｘ）の印刷処理状況を監視する。
【００８０】
そして、ステップＳ５０６において、印刷サーバ１３０において、出力部情報取得部１３１は、出力デバイス１４０（ｘ）での印刷結果の情報を、印刷集中管理サーバ１２０の印刷情報制御部１２１に通知する。ここでいう印刷結果とは、印刷が正常に終了したことを示す印刷ログ情報に相当し、印刷範囲、印刷部数、ステープル、印刷デバイス情報等の情報を含んでいる。
【００８１】
ステップＳ２０８〜ステップＳ２１０：
ステップＳ２０８において、ホストコンピュータ１００の印刷集中管理サーバ１２０における印刷情報制御部１２１は、印刷サーバ１３０の出力部情報取得部１３１から通知された印刷結果情報を取得する。そして、ステップＳ２０９において、ジョブチケット編集部１２２は、印刷情報制御部１２１から渡された当該印刷結果情報をジョブチケットに対して追記する。
【００８２】
そして、ステップＳ２１０において、印刷情報制御部１２１は、ジョブチケット編集部により追記されたジョブチケットを印刷データと共に印刷情報（印刷データ及びジョブチケットのセット）としてホストコンピュータ１００の文書管理サーバ１５０の印刷情報保存部１５２に保存して、本処理を終了する。
【００８３】
図８は、印刷結果にトラブルが無い場合のジョブチケットの一例を示したものである。このジョブチケットには、記録部に前述したような印刷ログ情報が記述されている。
【００８４】
以上説明したように本第１の実施の形態によれば、印刷データの印刷設定を記述するジョブチケットの全体設定領域に、追加描画オブジェクトのリンク情報、グループ名、印刷フラグを記述し、各印刷単位（章、シート、ページ）の設定領域に、グループ名を記述することにより、複数の追加描画オブジェクトが文書に付加されている場合に、どの追加描画オブジェクトを印刷し、どの追加描画オブジェクトを印刷しないかを、全体設定領域の印刷フラグを書き換えるだけで済み、追加描画オブジェクトのみの更新や、変更、或いは修正等を可能になり、また、印刷の度に追加描画オブジェクトを印刷するか印刷しないかを選択する必要がなくなり、操作性が向上する効果が得られる。
【００８５】
また、追加描画オブジェクトを付加すべき単位（例えばページ）毎に追加描画オブジェクトをつける指示（グループ名）をジョブチケットに保持するように構成したので、追加描画オブジェクト（付加情報）を、原稿ページに対して動的に付加することが可能となる。
【００８６】
［第２の実施の形態］
前述したように、本第１の実施の形態では、ジョブチケットの全体設定領域に、追加描画オブジェクトのリンク情報、グループ名、印刷フラグを記述し、各印刷単位（章、シート、ページ）の設定領域に、グループ名を記述する仕組みについて説明した。
【００８７】
本第２の実施の形態では、文書全体に対して追加描画オブジェクトを印刷するかしないかを設定し、かつ、論理ページ単位に例外設定として追加描画オブジェクトを印刷するかしないかを文書全体の設定とは独立して行うことを可能とし、それに応じてジョブチケットを作成する仕組みについて説明する。
【００８８】
つまり、本第２の実施の形態では、上記図１に示した印刷システムにおいて、第１の実施の形態と同様に、追加描画オブジェクトとしてウォータマークを用い、出力デバイス１４０（ｘ）をネットワーク上に接続されたプリンタとして、当該プリンタで印刷処理を実行するが、特に、グループ一括印刷ならびに各ページ毎に可か否かの設定を行うことになる。
【００８９】
本実施の形態では、その一例として、文書全体に対して、グループ一括印刷の”印刷可”設定を行った後、２ページ及び５ページの印刷データに対しては、例外設定としてページ毎に“グループ一括印刷”を否定するための”否”を設定し、ウォータマークの印刷を抑制する場合について、説明する。
【００９０】
以下、本実施の形態における印刷システムの動作について、上記図１〜図３及び図５と共に、図９及び図１０を用いて説明する。
【００９１】
ステップＳ２０１：図２参照
ホストコンピュータ１００の印刷データ編集装置１１０において、印刷情報入力部１１１は、任意のアプリケーションから印刷すべき情報を入力し、フォーマット変換することで、印刷データ及び印刷指示を入力する。
【００９２】
印刷データとしては、例えば、ＰＤＦ（ＰｏｒｔａｂｌｅＤｏｃｕｍｅｎｔＦｏｒｍａｔ）等に従ったデータを適用可能である。印刷指示としては、例えば、部数、用紙サイズ、各種フィニッシング、片面／両面、Ｎ−Ｕｐ、拡大縮小、及び印刷ページ指定等の指示を適用可能である。
【００９３】
ステップＳ２０２：
描画オブジェクト追加設定部１１５は、ユーザからの指示に応じて、追加描画オブジェクトを入力する。
具体的には例えば、追加描画オブジェクトとして、図１０に示すような、「部外秘」のウォータマーク１００２及び「Ｃｏｎｆｉｄｅｎｔｉａｌ」のウォータマーク１００３を用いる。これらのウォータマーク１００２，１００３は、ページ毎の印刷データ１００１（ここでは１ページ〜１１ページの印刷データ）と同様に、予め別の画像ファイルとして作成されており、印刷用画像データ毎の各印刷領域毎に対して挿入されるものである。
【００９４】
尚、ジョブチケットでは、ファイルへのリンクのみを保持するものとする。
【００９５】
ステップＳ２０３：
追加描画オブジェクトグループ設定部１１２は、描画オブジェクト追加設定部１１５により入力された追加描画オブジェクトのグループ名を設定する。
【００９６】
ステップＳ２０４：
追加描画オブジェク印刷可否設定部１１３は、追加描画オブジェクトグループ設定部１１２で設定された追加描画オブジェクトのグループ毎及びページ毎の印刷可否を設定する。
【００９７】
尚、追加描画オブジェクトグループ設定部１１２により、追加描画オブジェクトのグループ名を変更することで、複数の追加描画オブジェクトを入力することが可能となる。
【００９８】
ステップＳ２０５：
ジョブチケット作成部１１４は、上記図３に示した処理を実行することで、印刷情報入力部１１１で入力された印刷指示（部数、用紙サイズ、ステープル、カラー印刷、片面／両面、Ｎ−Ｕｐ、拡大縮小、及び印刷ページ指定等）と、描画オブジェクト追加設定部１１５から入力された追加描画オブジェクト（ウォータマーク、アノテーション、スタンプなど）に関する情報に基づいて、ジョブチケットを生成する。
【００９９】
ここで、本実施の形態では、上記図３に示したステップＳ３０５の追加描画オブジェクト関連情報設定処理を、例えば、図９に示すような処理とする。
【０１００】
先ず、ステップＳ９０１において、ジョブチケット作成部１１４は、例えば、図１１に示すように、追加描画オブジェクトグループ設定部１１２により予め設定されたグループ名（“ｂｕｇａｉｈｉ−１”等）で、ジョブチケットの全体設定領域である＜全体指示部＞の下に＜グループ指示部＞を作成する。
【０１０１】
次に、ステップＳ９０４において、ジョブチケット作成部１１４は、追加描画オブジェク印刷可否設定部１１３により予め設定された追加描画オブジェクトのグループ毎の印刷可否に従って、グループ毎の追加描画オブジェクトの一括印刷をするか否かを判断する。一括印刷をしないと判断された場合は、ステップＳ９０４の処理を実行し、一括印刷をすると判断された場合は、ステップＳ９０３の処理を実行するべく移行する。
【０１０２】
例えば、対象グループの追加描画オブジェクトを一括印刷する場合、ステップＳ９０３において、ジョブチケット作成部１１４は、上記図１１に示すように、対象グループに対応する印刷フラグ（ジョブチケットの＜グループ指示部＞の印刷フラグ）に対して“Ｔｒｕｅ”をセットする。
【０１０３】
一方、対象グループの追加描画オブジェクトを全て印刷しない場合、ステップＳ９０４において、ジョブチケット作成部１１３は、上記図１１に示すように、対象グループに対応する印刷フラグ（ジョブチケットの＜グループ指示部＞の印刷フラグ）に対して“Ｆａｌｓｅ”をセットする。
【０１０４】
ステップＳ９０３又はステップＳ９０４の処理後、ステップＳ９０５において、ジョブチケット作成部１１４は、上記図１１に示すように、ジョブチケットにより指定された印刷出力ページの＜ページ単位指示部＞（各印刷単位（ここではページ）の設定領域に相当する）に対して、＜追加オブジェクト指示部＞を作成する。
【０１０５】
さらに、ステップＳ９０６において、ジョブチケット作成部１１４は、上記図１１に示すように、ステップＳ９０１で用いられたグループ名を、ステップＳ９０５で作成された＜追加描画オブジェクト指示部＞に対してセットする。
これにより、対象グループと、その追加描画オブジェクトとを関連付けることができる。
【０１０６】
次に、ステップＳ９０７において、ジョブチケット作成部１１４は、追加描画オブジェク印刷可否設定部１１３により予め設定された追加描画オブジェクトのページ毎の印刷可否に従って、ページ毎に追加描画オブジェクトの印刷を行うか否かを判断する。ページ毎に追加描画オブジェクトの印刷を行わないと判断した場合は、ステップＳ９０８に処理を進め、ページ毎に追加描画オブジェクトの印刷を行うと判断した場合は、ステップＳ９０９に処理を進める。
【０１０７】
例えば、ページ単位の追加描画オブジェクトの印刷を抑制する場合、ステップＳ９０９において、ジョブチケット作成部１１４は、上記図１１に示すように、ジョブチケットの＜ページ単位指示部＞の＜追加オブジェクト指示部＞（各印刷単位（ここではページ）の設定領域に相当する）の印刷フラグに“Ｆａｌｓｅ”をセットする。
【０１０８】
一方、ページ単位の追加描画オブジェクトの印刷を抑制しない場合、ステップＳ９０８において、ジョブチケット作成部１１４は、上記図１１に示すように、ジョブチケットの＜ページ単位指示部＞の＜追加オブジェクト指示部＞（各印刷単位（ここではページ）の設定領域に相当する）の印刷フラグに“Ｔｒｕｅ”をセットする。このステップＳ９０８とステップＳ９０９との処理を、各ページについて行うものとする。
【０１０９】
本実施の形態では、２ページと５ページの印刷データについて、追加描画オブジェクトの印刷を抑制するので、上記図１１示すように、追加描画オブジェクトの印刷を抑制すべきページに対応するページ単位の設定領域の印刷フラグには、“Ｆａｌｓｅ”がセットされ、追加描画オブジェクトの印刷を行うべきページに対応するページ単位の設定領域の印刷フラグには、“Ｔｒｕｅ”がセットされる。
【０１１０】
上述のようなステップＳ２０５のジョブチケット作成処理の結果により、上記図１１に示すようなジョブチケットが得られることになる。
【０１１１】
尚、上記図１１は、ＸＭＬ方式に従って、追加描画オブジェクト関連情報のセット結果や印刷指示の一部を設定した場合のジョブチケットの一部分の一例を示したものであり、これに限られることはない。また、リンクには、それぞれファイル名のみを示している。
【０１１２】
また、２章目のページに対しては、＜コンテンツ情報＞が２つずつセットされており、すなわち１物理ページ内に２論理ページが配置されている状態（２Ｕｐ）がセットされている。
【０１１３】
具体的には、上記図１０では、原稿（すなわち論理ページ）の４ページ〜１１ページについて、印刷用画像データの２章目の１ページ目、（物理ページ４）には論理ページの４ページ及び５ページ、２章目の２ページ目、（物理ページ５）には論理ページの６ページ及び７ページ、２章目の３ページ目、（物理ページ６）には論理ページの８ページ及び９ページ、２章目の４ページ目、（物理ページ７）には論理ページの１０ページ及び１１ページがそれぞれ配置されている。
【０１１４】
なお、図１１に示すように、ジョブチケット作成部１１４は、追加描画オブジェクトのグループ名と対象グループに対応する印刷フラグ（追加描画するかしないかを示すフラグ）と追加描画オブジェクトのリンク情報とをジョブチケットの全体設定に書き込み、描画オブジェクト追加設定部１１５からの追加オブジェクト指示により対象となる印刷出力ページの所定単位設定領域（ここではページ設定領域）に追加描画オブジェクトのグループ名と印刷フラグを書き込む。
【０１１５】
これにより、例えば、アノテーションのように、ホストコンピュータ１００上のアプリケーション等で印刷データの原稿を表示する際にアノテーションを表示させるが、印刷時には、アノテーションを印刷させない場合には、上述したようなジョブチケットを作成すれば、ジョブチケットの全体指示に書き込まれている追加描画オブジェクトの対象グループに対応する印刷フラグを「Ｆａｌｓｅ」（０または１などのようにしてもよいことは言うまでもない）として記載すれば、追加されているオブジェクトの印刷は行わないので、簡単にユーザが所望とする印刷結果を得ることが可能となる。
【０１１６】
また、追加されている描画オブジェクトを文書全体に対して印刷したい場合は、全体指示に書き込まれている対象グループの印刷フラグを「Ｔｒｕｅ」に変更すればよく、所定単位毎に印刷したい単位を選択する場合は、所定単位（例えばページ単位）の設定領域の印刷フラグを「Ｔｒｕｅ」に変更すれば、所望とする印刷結果を得ることができる。
【０１１７】
上記図１１に示したような、ホストコンピュータ１００の印刷データ編集装置１１０（印刷データ編集部とも呼ぶ）で生成されたジョブチケットは、ホストコンピュータ１００の印刷集中管理サーバ１２０（印刷管理部とも呼ぶ）に供給される。
【０１１８】
印刷集中管理サーバ１２０において、印刷情報制御部１２１は、印刷データ編集装置１１０のジョブチケット作成部１１４から受け取ったジョブチケットに基づいて、次のステップＳ２０６からの処理を実行することで、印刷動作を制御する。
【０１１９】
ステップＳ２０６：
印刷情報制御部１２１は、印刷サーバ１３０に対して、プリンタ用印刷情報としてジョブチケット及び印刷データを送信する。
【０１２０】
ステップＳ２０７：
印刷サーバ１３０は、印刷集中管理サーバ１２０からのジョブチケット及び印刷データに基づいて、上記図５に示したような印刷処理を実行する。
【０１２１】
すなわち、先ず、ステップＳ５０１において、印刷指示解釈部１３２は、印刷情報を受信する。そして、ステップＳ５０２において、印刷指示解釈部１３２は、当該印刷情報に含まれるジョブチケットを解釈する。
【０１２２】
次に、ステップＳ５０３において、印刷情報加工部１３３は、当該解釈結果に基づいて、上記印刷情報に含まれる印刷データの印刷用描画データへの変換及び加工処理を実行することで、印刷用描画データ及びプリンタ制御データを生成する。
【０１２３】
このとき、上記図１１に示されるように、ジョブチケットの全体設定領域である＜全体指示部＞における＜グループ指示＞では、文書全体に対する一括印刷が指定されているため“ｂｕｇａｉｈｉ−１”及び“ｂｕｇａｉｈｉ−２”の各グループとも印刷フラグに“Ｔｒｕｅ”がセットされている。
【０１２４】
また、出力ページ（すなわち物理ページ）の２ページ及び５ページ（論理ページの６ページと７ページが配置されたページ）に該当する所定単位の設定領域である＜ページ単位指示＞における＜追加オブジェクト指示＞では、文書全体の指定に対する例外設定として印刷しないことが指定されているため印刷フラグに“Ｆａｌｓｅ”がセットされている。
【０１２５】
このため、上記図１０に示すように、物理ページの２ページ及び５ページの印刷データ１００４，１００５に対するウォータマーク１００２，１００３の印刷が抑制され、他のページに対して、ウォータマーク１００２，１００３が反映されることになる。
【０１２６】
次に、ステップＳ５０４において、印刷情報送信部１３４は、ステップＳ５０３で得られた上記印刷用描画データ及びプリンタ制御データを出力デバイス１４０（ｘ）に対して送信する。
【０１２７】
これにより、出力デバイス１４０（ｘ）において、印刷情報出力部１４１は、上記印刷用描画データ及びプリンタ制御データに基づいて、出力デバイス１４０（ｘ）であるプリンタによる印刷処理を実行することになる。ステップＳ５０５において、印刷サーバ１３０は、出力デバイス１４０（ｘ）の印刷処理状況を監視する。
【０１２８】
そして、ステップＳ５０６において、印刷サーバ１３０の出力部情報取得部１３１は、出力デバイス１４０（ｘ）での印刷結果の情報を、印刷集中管理サーバ１２０の印刷情報制御部１２１に通知する。ここでいう印刷結果とは、印刷が正常に終了したことを示す印刷ログ情報に相当し、印刷範囲、印刷部数、ステープル、印刷デバイス情報等の情報を含んでいる。
【０１２９】
ステップＳ２０８〜ステップＳ２１０：
ステップＳ２０８において、ホストコンピュータ１００の印刷集中管理サーバ１２０において、印刷情報制御部１２１は、印刷サーバ１３０から通知された印刷結果情報を取得する。そして、ステップＳ２０９において、印刷情報制御部１２１は、当該印刷結果情報をジョブチケット編集部１２２に渡し、ジョブチケット編集部１２２は、当該印刷結果情報をジョブチケットに対して追記する。
【０１３０】
そして、ステップＳ２１０において、印刷情報制御部１２１は、追記されたジョブチケットを印刷データと共に印刷情報（印刷データ及びジョブチケットのセット）として文書管理サーバ１５０の印刷情報保存部１５２に保存する。その後、本処理終了となる。
【０１３１】
図１２は、印刷結果にトラブルが無い場合のジョブチケットの一例を示したものである。
【０１３２】
以上説明したように本第２の実施の形態によれば、印刷データの印刷設定を記述するジョブチケットの全体設定領域に、追加描画オブジェクトのリンク情報、グループ名、印刷フラグを記述し、各論理ページ単位の設定領域に、グループ名と印刷フラグとを記述することにより、追加描画オブジェクトが文書に付加されている場合に追加描画オブジェクトを印刷するか印刷しないかを、全体設定領域の印刷フラグを書き換えることで実現し、更に、各ページで文書全体に対する追加描画オブジェクトの印刷設定に従わず、論理ページ単位に追加描画オブジェクトを例外設定として更に印刷するかを設定できるようにした。
【０１３３】
これにより、文書全体に対する追加描画オブジェクトの印刷可否とは独立に論理ページ単位に追加描画オブジェクトの印刷可否を切り替えることが可能となり、ユーザにとって、追加描画オブジェクトの表現の自由度が向上するという効果が得られる。
【０１３４】
［第３の実施の形態］
上記第２の実施の形態では、文書全体に対する追加描画オブジェクトの印刷するか印刷しないかを設定し、かつ、論理ページ単位に追加描画オブジェクトを例外設定として更に印刷するかを設定できるように、その全体設定と論理ページ単位の例外設定に基づいて、ジョブチケットを作成する仕組みについて説明した。
【０１３５】
本第３の実施の形態では、文書全体に対する追加描画オブジェクトの印刷するか印刷しないかを設定し、かつ、追加描画オブジェクトの配置対象領域が論理ページなのか物理ページなのかを切り替えできるように、その全体設定と論理ページ単位／物理ページ単位の配置対象領域に基づいて、ジョブチケットを作成する仕組みについて説明する。
【０１３６】
つまり、第３の実施の形態では、上記図１に示した印刷システムにおいて、追加描画オブジェクトとして論理ページアノテーション及び物理ページアノテーションという２種類の追加描画オブジェクトを用い、出力デバイス１４０（ｘ）をネットワーク上に接続されたプリンタとして、当該プリンタで印刷処理を実行し、また、グループ一括印刷可であるか否かの設定をも行う仕組みについて説明する。
【０１３７】
以下、本実施の形態における印刷システムの動作について、上記図１〜図５と共に、図１３及び図１４を用いて説明する。
【０１３８】
ステップＳ２０１：図２参照
ホストコンピュータ１００の印刷データ編集装置１１０において、印刷情報入力部１１１は、印刷情報として、印刷データ及び印刷指示を入力する。
【０１３９】
印刷データとしては、例えば、ＰＤＦ（ＰｏｒｔａｂｌｅＤｏｃｕｍｅｎｔＦｏｒｍａｔ）等に従ったデータを適用可能である。印刷指示としては、例えば、部数、用紙サイズ、各種フィニッシング、片面／両面、Ｎ−Ｕｐ、拡大縮小、及び印刷ページ指定等の指示を適用可能である。
【０１４０】
ステップＳ２０２：
ホストコンピュータ１００の描画オブジェクト追加設定部１１５は、ユーザからの指示に応じて追加描画オブジェクトを入力する。
【０１４１】
具体的には例えば、追加描画オブジェクトとして、図１４に示すような、物理ページアノテーション１３０２及び論理ページアノテーション１３０３を用いる。これらの物理ページアノテーション１３０２及び論理ページアノテーション１３０３は、ページ毎の印刷データ１３０１（ここでは１ページ〜１１ページの印刷データ）と同様に、予め別の画像ファイルとして生成されている。
【０１４２】
物理ページアノテーション１３０２は、出力用紙に該当する物理ページ領域に対して「２００１年１１月６日」と挿入されるアノテーション（物理ページアノテーション）である。論理ページアノテーション１３０３は、原稿データに該当する論理ページ領域に「○○○○○」と挿入されるアノテーション（論理ページアノテーション）である。
【０１４３】
尚、ジョブチケットでは、ファイルへのリンクのみを保持するものとする。
【０１４４】
ステップＳ２０３：
追加描画オブジェクトグループ設定部１１２は、描画オブジェクト追加設定部１１５により入力された追加描画オブジェクトのグループ名及び配置対象領域を設定する。
【０１４５】
ステップＳ２０４：
追加描画オブジェク印刷可否設定部１１３は、追加描画オブジェクトグループ設定部１１２で設定された追加描画オブジェクトのグループ毎の印刷可否を設定する。
【０１４６】
尚、追加描画オブジェクトグループ設定部１１２により、追加描画オブジェクトのグループ名を変更することで、複数の追加描画オブジェクトを入力することが可能となる。
【０１４７】
ステップＳ２０５：
ジョブチケット作成部１１４は、印刷情報入力部１１１で入力された印刷指示（部数、用紙サイズ、ステープル、カラー印刷、片面／両面、Ｎ−Ｕｐ、拡大縮小、及び印刷ページ指定等）、描画オブジェクト追加設定部１１５から入力された追加描画オブジェクトに関する情報に基づいて、ジョブチケットを生成する。
【０１４８】
具体的には例えば、上記図３に示したように、先ず、ステップＳ３０１において、ジョブチケット作成部１１４は、Ｎ−Ｕｐや、拡大縮小、用紙サイズ、或いは片面／両面設定等のレイアウト関連の情報をジョブチケットにセット（レイアウト設定処理）する。そして、ステップＳ３０２において、ジョブチケット作成部１１４は、印刷部数のセット（印刷部数設定処理）を行う。
【０１４９】
そして、ステップＳ３０３において、ジョブチケット作成部１１４は、印刷ページ範囲をジョブチケットにセット（印刷ページ範囲指定処理）する。そして、ステップＳ３０４において、ジョブチケット作成部１１４は、ステープル情報をジョブチケットにセット（ステープル設定処理）する。そして、ステップＳ３０５において、ジョブチケット作成部１１４は、追加描画オブジェクトに関する情報をセット（追加描画オブジェクト関連情報設定処理）する。
【０１５０】
ここで、本実施の形態では、上記ステップＳ３０５の追加描画オブジェクト関連情報設定処理を、図１３のフローチャートに従った処理とする。
【０１５１】
すなわち、先ず、ステップＳ１２０１において、ジョブチケット作成部１１４は、例えば、図１５に示すように、追加描画オブジェクトグループ設定部１１２により予め設定されたグループ名（“ａｎｎｏｔａｔｉｏｎ−１”等）で、ジョブチケットの全体設定領域である＜全体指示部＞の下に＜グループ指示部＞を作成する。
【０１５２】
次に、ステップＳ１２０２において、ジョブチケット作成部１１４は、追加描画オブジェク印刷可否設定部１１３により予め設定された追加描画オブジェクトのグループ毎の印刷可否に従って、グループ毎の一括印刷をするかしないかを判断する。一括印刷をすると判断された場合は、ステップＳ１２０３に処理を進め、一括印刷しないと判断された場合はステップＳ１２０４に処理を進める。
【０１５３】
例えば、対象グループの追加描画オブジェクトを一括印刷する場合、ステップＳ１２０３において、ジョブチケット作成部１１４は、上記図１５に示すように、対象グループに対応する印刷フラグ（ジョブチケットの＜グループ指示部＞の印刷フラグ）に対して“Ｔｒｕｅ”をセットする。
【０１５４】
一方、対象グループの追加描画オブジェクトを全て印刷しない場合、ステップＳ１２０４において、ジョブチケット作成部１１４は、上記図１５に示すように、対象グループに対応する印刷フラグ（ジョブチケットの＜グループ指示部＞の印刷フラグ）に対して“Ｆａｌｓｅ”をセットする。
【０１５５】
次に、ステップＳ１２０５において、ジョブチケット作成部１１４は、追加描画オブジェクトグループ設定部１１２により予め設定された配置対象領域に従って、追加描画オブジェクトの配置対象領域が物理ページであるか論理ページであるかを判断する。配置対象領域が物理ページであると判断された場合は、ステップＳ１２０６に処理を進め、配置対象領域が論理ページであると判断された場合は、ステップＳ１２０８に処理を進める。
【０１５６】
例えば、追加描画オブジェクトの配置対象領域が印刷出力用紙、つまり物理ページである場合、ステップＳ１２０６において、ジョブチケット作成部１１４は、上記図１５に示すように、ジョブチケットの指定された出力ページの＜ページ単位指示部＞に対して物理ページ設定領域である＜物理ページ用追加描画オブジェクト指示部＞を作成する。
【０１５７】
そして、ステップＳ１２０７において、ジョブチケット作成部１１４は、ステップＳ１２０１で用いたグループ名を＜物理ページ用追加描画オブジェクト指示部＞にもセットする。これにより、対象グループと追加描画オブジェクトを関連付けることができる。
【０１５８】
一方、追加描画オブジェクトの配置対象領域が原稿領域、つまり論理ページである場合、ステップＳ１２０８において、ジョブチケット作成部１１４は、上記図１５に示すように、ジョブチケットの指定された出力ページの＜ページ単位指示部＞に対して、論理ページ設定領域である＜論理ページ用追加描画オブジェクト指示部＞を作成する。
【０１５９】
このとき、ジョブチケット作成部１１４は、予めコンテンツ情報をジョブチケットにセットする際に、ＩＤを割り振っておくことで、＜論理ページ用追加描画オブジェクト指示部＞に対しても、配置対象領域となったコンテンツ情報のＩＤをコンテンツＩＤとして保持することが可能となる。これにより、論理ページ用追加描画オブジェクトと配置対象領域となったコンテンツ情報を関連付けることができる。
【０１６０】
また、ステップＳ１２０９において、ジョブチケット作成部１１４は、ステップＳ１２０１で用いたグループ名を＜論理ページ用追加描画オブジェクト指示部＞にもセットする。これにより、対象グループと追加描画オブジェクトを関連付けることができる。
【０１６１】
上述のようなステップＳ２０５のジョブチケット作成処理の結果により、上記図１５に示すようなジョブチケットが得られることになる。
【０１６２】
尚、上記図１５は、ＸＭＬ方式に従って、追加描画オブジェクト関連情報のセット結果や印刷指示の一部を設定した場合のジョブチケットの一部分の一例を示したものであり、これに限られることはない。また、リンクには、それぞれファイル名のみを示している。
【０１６３】
また、２章目のページに対しては、＜コンテンツ情報＞が２つずつセットされており、すなわち１物理ページ内に２論理ページが配置されている状態（２ＵＰ）がセットされている。
【０１６４】
具体的には、上記図１４では、原稿（すなわち論理ページ）の４ページ〜１１ページについて、印刷用画像データの２章目の１ページ目（物理ページ４）には論理ページの４ページ及び５ページ、２章目の２ページ目（物理ページ５）には論理ページの６ページ及び７ページ、２章目の３ページ目（物理ページ６）には論理ページの８ページ及び９ページ、２章目の４ページ目（物理ページ７）には論理ページの１０ページ及び１１ページがそれぞれ配置されている。
【０１６５】
上記図１５に示したような、ホストコンピュータ１００の印刷データ編集装置１１０（印刷データ編集部）で生成されたジョブチケットは、印刷集中管理サーバ１２０（印刷集中管理部）に供給される。
印刷集中管理サーバ１２０において、印刷情報制御部１２１は、印刷データ編集装置１１０のジョブチケット作成部１１４から受け取ったジョブチケットに基づいて、次のステップＳ２０６からの処理を実行することで、印刷動作を制御する。
【０１６６】
ステップＳ２０６：
印刷情報制御部１２１は、印刷サーバ１３０に対して、プリンタ用印刷情報としてジョブチケット及び印刷データを送信する。
【０１６７】
ステップＳ２０７：
印刷サーバ１３０は、印刷集中管理サーバ１２０からのジョブチケット及び印刷データに基づいて、上記図５に示したような印刷処理を実行する。
【０１６８】
すなわち、先ず、ステップＳ５０１において、印刷指示解釈部１３２は、ホストコンピュータ１００の印刷情報制御部１２１から印刷情報を受信する。そして、ステップＳ５０２において、印刷指示解釈部１３２は、当該印刷情報に含まれるジョブチケットを解釈する。
【０１６９】
次に、ステップＳ５０３において、プリンタドライバである印刷情報加工部１３３は、当該解釈結果に基づいて、上記印刷情報に含まれる印刷データの印刷用描画データへの変換及び加工処理を実行することで、印刷用描画データ及びプリンタ制御データを生成する。
【０１７０】
このとき、上記図１５に示されるように、＜全体指示部＞における＜グループ指示＞では、“ａｎｎｏｔａｔｉｏｎ−１”のグループの印刷フラグは“Ｆａｌｓｅ”であるが、“ａｎｎｏｔａｔｉｏｎ−２”のグループの印刷フラグは“Ｔｒｕｅ”であるため、「２００１年１１月６日」（ｈｉｚｕｋｅ．ｐｄｆ）という物理ページアノテーションの印刷のみ抑制され、印刷用画像データには反映されないことになる。
【０１７１】
すなわち、この場合、上記図１４に示すように、どこにも「２００１年１１月６日」の物理ページアノテーションが反映されない。また、「○○○○○」の論理ページアノテーションについては、全ての論理ページの印刷領域に対して反映される。
【０１７２】
次に、ステップＳ５０４において、印刷情報送信部１３４は、ステップＳ５０３で得られた上記印刷用描画データ及びプリンタ制御データを出力デバイス１４０（ｘ）に対して送信する。
【０１７３】
これにより、出力デバイス１４０（ｘ）において、印刷情報出力部１４１は、上記印刷用描画データ及びプリンタ制御データに基づいて、出力デバイス１４０（ｘ）であるプリンタによる印刷処理を実行することになる。ステップＳ５０５において、印刷サーバ１３０は、出力デバイス１４０（ｘ）の印刷処理状況を監視する。
【０１７４】
そして、ステップＳ５０６において、印刷サーバ１３０の出力部情報取得部１３１は、出力デバイス１４０（ｘ）での印刷結果の情報を、印刷集中管理サーバ１２０の印刷情報制御部１２１に通知する。ここでいう印刷結果とは、印刷が正常に終了したことを示す印刷ログ情報に相当し、印刷範囲、印刷部数、ステープル、印刷デバイス情報等の情報を含んでいる。
【０１７５】
ステップＳ２０８〜ステップＳ２１０：
ステップＳ２０８において、印刷集中管理サーバ１２０において、印刷情報制御部１２１は、印刷サーバ１３０から通知された印刷結果情報を取得する。そして、ステップＳ２０９において、当該印刷結果情報をジョブチケット編集部１２２に渡し、ジョブチケット編集部１２２は、当該印刷結果情報をジョブチケットに対して追記する。
【０１７６】
そして、ステップＳ２１０において、これを印刷データと共に印刷情報（印刷データ及びジョブチケットのセット）として文書管理サーバ１５０の印刷情報保存部１５２に保存する（ステップＳ２１０）。その後、本処理終了となる。
【０１７７】
図１６は、印刷結果にトラブルが無い場合のジョブチケットの一例を示したものである。
【０１７８】
以上説明したように本第３の実施の形態によれば、印刷データの印刷設定を記述するジョブチケットの全体設定領域に、追加描画オブジェクトのリンク情報、グループ名、印刷フラグを記述し、また、ジョブチケットに論理ページ単位の設定領域と物理ページ単位の設定領域とを設け、それぞれの設定領域に、グループ名を記述することにより、追加描画オブジェクトが文書に付加されている場合に追加描画オブジェクトを印刷するか印刷しないかを、全体設定領域の印刷フラグを書き換えることで実現し、更に、追加描画オブジェクトの配置対象領域を論理ページ単位または物理ページ単位に設定できるようにした。
【０１７９】
これにより、追加描画オブジェクトを文書に直接追記することなく、ジョブチケットに対する記述により追加描画オブジェクトを論理ページに配置することと物理ページに配置することを容易に実現でき、ユーザにとって、追加描画オブジェクトの表現の自由度が向上するという効果が得られる。
【０１８０】
［第４の実施の形態］
上述したように、第３の実施の形態では、文書全体に対する追加描画オブジェクトの印刷するかしないかを設定し、かつ、その追加描画オブジェクトが論理ページ単位または物理ページ単位のいずれに描画されるかを設定できるように、その全体設定と論理ページ単位または物理ページ単位の設定に基づいて、ジョブチケットを作成する仕組みについて説明した。
【０１８１】
本第４の実施の形態では、文書全体に対する追加描画オブジェクトの印刷するか印刷しないかを設定し、かつ、論理ページ単位または物理ページ単位に追加描画オブジェクトを例外設定として更に印刷するかを設定できるように、その全体設定と論理ページ単位の例外設定に基づいて、ジョブチケットを作成する仕組みについて説明する。
【０１８２】
上記図１に示した印刷システムにおいて、第３の実施の形態と同様に、追加描画オブジェクトとして論理ページアノテーション及び物理ページアノテーションの２種類の追加描画オブジェクトを用い、出力デバイス１４０（ｘ）をネットワーク上に接続されたプリンタとして、当該プリンタで印刷処理を実行し、また、グループ一括印刷可であるか否かの設定をも行うが、物理ページの４ページ、及び論理ページの１０ページ及び１１ページについては、ページ毎に”グループ一括印刷”を否定するための“否”とする設定を行うことで、論理ページアノテーション及び物理ページアノテーションの印刷を抑制する。
【０１８３】
以下、本実施の形態における印刷システムの動作について、上記図１〜図５と共に、図１７及び図１８を用いて説明する。
【０１８４】
ステップＳ２０１：図２参照
ホストコンピュータ１００の印刷データ編集装置１１０において、印刷情報入力部１１１は、印刷情報として、印刷データ及び印刷指示を入力する。
【０１８５】
印刷データとしては、例えば、ＰＤＦ（ＰｏｒｔａｂｌｅＤｏｃｕｍｅｎｔＦｏｒｍａｔ）等に従ったデータを適用可能である。印刷指示としては、例えば、部数、用紙サイズ、各種フィニッシング、片面／両面、Ｎ−Ｕｐ、拡大縮小、及び印刷ページ指定等の指示を適用可能である。
【０１８６】
ステップＳ２０２：
描画オブジェクト追加設定部１１５は、ユーザからの指示に応じて、追加描画オブジェクトを入力する。
【０１８７】
具体的には例えば、追加描画オブジェクトとして、図１８に示すような、物理ページアノテーション１７０２及び論理ページアノテーション１７０３を用いる。
【０１８８】
これらの物理ページアノテーション１７０２及び論理ページアノテーション１７０３は、ページ毎の印刷データ１７０１（ここでは１ページ〜１１ページの印刷データ）と同様に、予め別の画像ファイルとして生成されており、印刷用画像データ毎の印刷領域毎に対して挿入されるものである。
【０１８９】
物理ページアノテーション１７０２は、出力用紙に該当する物理ページ領域に対して「２００１年１１月６日」と挿入されるアノテーション（物理ページアノテーション）である。論理ページアノテーション１７０３は、原稿データに該当する論理ページ領域に「○○○○○」と挿入されるアノテーション（論理ページアノテーション）である。
【０１９０】
尚、ジョブチケットでは、ファイルへのリンクのみを保持するものとする。
【０１９１】
ステップＳ２０３：
追加描画オブジェクトグループ設定部１１２は、描画オブジェクト追加設定部１１５により入力された追加描画オブジェクトのグループ名及び配置対象領域を設定する。
【０１９２】
ステップＳ２０４：
追加描画オブジェク印刷可否設定部１１３は、追加描画オブジェクトグループ設定部１１２で設定された追加描画オブジェクトのグループ毎の印刷可否を設定する。
【０１９３】
尚、追加描画オブジェクトグループ設定部１１２により、追加描画オブジェクトのグループ名を変更することで、複数の追加描画オブジェクトを入力することが可能となる。
【０１９４】
ステップＳ２０５：
ジョブチケット作成部１１４は、印刷情報入力部１１１で入力された印刷指示（部数、用紙サイズ、ステープル、カラー印刷、片面／両面、Ｎ−Ｕｐ、拡大縮小、及び印刷ページ指定等）、追加描画オブジェクトに関する情報に基づいて、ジョブチケットを生成する。
【０１９５】
具体的には例えば、上記図３に示したように、先ず、ステップＳ３０１において、ジョブチケット作成部１１４は、Ｎ−Ｕｐや、拡大縮小、用紙サイズ、或いは片面／両面設定等のレイアウト関連の情報をジョブチケットにセット（レイアウト設定処理）する。そして、ステップＳ３０２において、ジョブチケット作成部１１４は、ジョブチケットに印刷部数のセットを行う（印刷部数設定処理）。
【０１９６】
そして、ステップＳ３０３において、ジョブチケット作成部１１４は、ジョブチケットに印刷ページ範囲をセット（印刷ページ範囲指定処理）する。そして、ステップＳ３０４において、ジョブチケット作成部１１４は、ジョブチケットにステープル情報をセット（ステープル設定処理）する。
【０１９７】
そして、ステップＳ３０５において、ジョブチケット作成部１１４はジョブチケットに追加描画オブジェクトに関する情報をセット（追加描画オブジェクト関連情報設定処理）する。
【０１９８】
ここで、本実施の形態では、上記ステップＳ３０５の追加描画オブジェクト関連情報設定処理を、図１７のフローチャートに従った処理とする。
【０１９９】
すなわち、先ず、ステップＳ１６０１において、ジョブチケット作成部１１４は、例えば、図１９に示すように、追加描画オブジェクトグループ設定部１１２により予め設定されたグループ名（“ａｎｎｏｔａｔｉｏｎ−１”等）で、ジョブチケットの全体設定領域である＜全体指示部＞の下に＜グループ指示部＞を作成する。
【０２００】
次に、ステップＳ１６０２において、ジョブチケット作成部１１４は、追加描画オブジェク印刷可否設定部１１３により予め設定された追加描画オブジェクトのグループ毎の印刷可否に従って、グループ毎の一括印刷をするか一括印刷をしないかを判断する。一括印刷をすると判断された場合は、ステップＳ１６０３に処理を進め、一括印刷しないと判断された場合は、ステップＳ１６０４に処理を進める。
【０２０１】
例えば、対象グループの追加描画オブジェクトを一括印刷する場合、ステップＳ１６０３において、ジョブチケット作成部１１４は、上記図１９に示すように、全体設定領域の対象グループに対応する印刷フラグ（ジョブチケットの＜グループ指示部＞の印刷フラグ）に対して“Ｔｒｕｅ”をセットする。
【０２０２】
一方、対象グループの追加描画オブジェクトを全て印刷しない場合、ステップＳ１６０４において、ジョブチケット作成部１１４は、上記図１９に示すように、対象グループに対応する印刷フラグ（ジョブチケットの＜グループ指示部＞の印刷フラグ）に対して“Ｆａｌｓｅ”をセットする。
【０２０３】
次に、ステップＳ１６０５において、ジョブチケット作成部１１４は、追加描画オブジェクトグループ設定部１１２により予め設定された配置対象領域に従って、追加描画オブジェクトの配置対象領域が物理ページであるか論理ページであるかを判断する。配置対象領域が物理ページであると判断された場合は、ステップＳ１６０６に処理を進め、配置対象領域が論理ページであると判断された場合は、ステップＳ１６０８に処理を進める。
【０２０４】
例えば、追加描画オブジェクトの配置対象領域が印刷出力用紙である場合、ステップＳ１６０６において、ジョブチケット作成部１１４は、上記図１９に示すように、ジョブチケットの指定された出力ページの＜ページ単位指示部＞（ページ設定領域）に対して＜物理ページ用追加描画オブジェクト指示部＞を作成する。
【０２０５】
そして、ステップＳ１６０７において、ジョブチケット作成部１１４は、ステップＳ１６０１で用いたグループ名を＜物理ページ用追加描画オブジェクト指示部＞にもセットする。これにより、対象グループと追加描画オブジェクトを関連付けることができる。
その後、後述するステップＳ１６１０からの処理が実行される。
【０２０６】
一方、追加描画オブジェクトの配置対象領域が原稿領域である場合、ステップＳ１６０８において、ジョブチケット作成部１１４は、上記図１９に示すように、ジョブチケットの指定された出力ページの＜ページ単位指示部＞（ページ設定領域）に対して、＜論理ページ用追加描画オブジェクト指示部＞を作成する。
【０２０７】
このとき、ジョブチケット作成部１１４は、予めコンテンツ情報をジョブチケットにセットする際に、ＩＤを割り振っておくことで、＜論理ページ用追加描画オブジェクト指示部＞に対しても、配置対象領域となったコンテンツ情報のＩＤをコンテンツＩＤとして保持することが可能となる。これにより、論理ページ用追加描画オブジェクトと配置対象領域となったコンテンツ情報を関連付けることができる。
【０２０８】
また、ステップＳ１６０９において、ジョブチケット作成部１１４は、ステップＳ１６０１で用いたグループ名を＜論理ページ用追加描画オブジェクト指示部＞にもセットする。これにより、対象グループと追加描画オブジェクトを関連付けることができる。
その後、後述するステップＳ１６１３からの処理が実行される。
【０２０９】
ステップＳ１６０７の処理後（追加描画オブジェクトの配置対象領域が印刷出力用紙である場合の処理後、すなわち物理ページ用の処理後）、ステップＳ１６１０において、ジョブチケット作成部１１４は、追加描画オブジェク印刷可否設定部１１３により予め設定された追加描画オブジェクトのページ毎の印刷可否に従って、物理ページ毎の追加描画オブジェクトの印刷を行うか印刷を行わないかを判断する。
【０２１０】
物理ページ毎の追加描画オブジェクトの印刷を行うと判断された場合は、ステップＳ１６１２に処理を進め、物理ページ毎の追加描画オブジェクトの印刷を行わないと判断された場合は、ステップＳ１６１１に処理を進める。
【０２１１】
例えば、ページ単位の追加描画オブジェクトの印刷を抑制する場合、ステップＳ１６１２において、ジョブチケット作成部１１４は、上記図１９に示すように、ジョブチケットのページ設定領域である＜ページ単位指示部＞の＜物理ページ用追加描画オブジェクト指示部＞の印刷フラグに対して“Ｆａｌｓｅ”をセットする。
【０２１２】
一方、ページ単位の追加描画オブジェクトの印刷を抑制しない場合、ステップＳ１６１１において、ジョブチケット作成部１１４は、上記図１９に示すように、ジョブチケットのページ設定領域である＜ページ単位指示部＞の＜物理ページ用追加描画オブジェクト指示部＞の印刷フラグに対して“Ｔｒｕｅ”をセットする。
【０２１３】
また、ステップＳ１６０９の処理後（追加描画オブジェクトの配置対象領域が原稿領域である場合の処理後、すなわち論理ページ用の処理後）、ステップＳ１６１３において、ジョブチケット作成部１１４は、追加描画オブジェク印刷可否設定部１１３により予め設定された追加描画オブジェクトのページ毎の印刷可否に従って、論理ページ毎の追加描画オブジェクトの印刷を行うか印刷を行わないかを判断する。
【０２１４】
論理ページ毎の追加描画オブジェクトの印刷を行うと判断された場合は、ステップＳ１６１５に処理を進め、論理ページ毎の追加描画オブジェクトの印刷を行わないと判断された場合は、ステップＳ１６１４に処理を進める。
【０２１５】
例えば、ページ単位の追加描画オブジェクトの印刷を抑制する場合、ステップＳ１６１５において、ジョブチケット作成部１１４は、上記図１９に示すように、ジョブチケットのページ設定領域である＜ページ単位指示部＞の＜論理ページ用追加描画オブジェクト指示部＞の印刷フラグに対して“Ｆａｌｓｅ”をセットする。
【０２１６】
一方、ページ単位の追加描画オブジェクトの印刷を抑制しない場合、ステップＳ１６１４において、ジョブチケット作成部１１４は、上記図１９に示すように、ジョブチケットのページ設定領域である＜ページ単位指示部＞の＜論理ページ用追加描画オブジェクト指示部＞の印刷フラグに対して“Ｔｒｕｅ”をセットする。
【０２１７】
上述のようなステップＳ２０５のジョブチケット作成処理の結果により、上記図１９に示すようなジョブチケットが得られることになる。
【０２１８】
本実施の形態では、物理ページの４ページ、及び論理ページの１０ページ及び１１ページを、ページ毎に各アノテーションの印刷を抑制するので、上記図１９に示すように、物理ページの４ページに対する物理ページ用追加描画オブジェクトの印刷フラグ、及び論理ページの１０ページ及び１１ページの論理ページ用追加描画オブジェクトの印刷フラグに対しては、“Ｆａｌｓｅ”がセットされ、他の印刷フラグには“Ｔｒｕｅ”がセットされる。
【０２１９】
尚、上記図１９は、ＸＭＬ方式に従って、追加描画オブジェクト関連情報のセット結果や印刷指示の一部を設定した場合のジョブチケットの一部分の一例を示したものであり、これに限られることはない。また、リンクには、それぞれファイル名のみを示している。
【０２２０】
また、２章目のページに対しては、＜コンテンツ情報＞が２つずつセットされており、すなわち１物理ページ内に２論理ページが配置されている状態（２ＵＰ）がセットされている。
【０２２１】
具体的には、上記図１４では、原稿（すなわち論理ページ）の４ページ〜１１ページについて、印刷用画像データの２章目の１ページ目（物理ページ４）には論理ページの４ページ及び５ページ、２章目の２ページ目（物理ページ５）には論理ページの６ページ及び７ページ、２章目の３ページ目（物理ページ６）には論理ページの８ページ及び９ページ、２章目の４ページ目（物理ページ７）には論理ページの１０ページ及び１１ページがそれぞれ配置されている。
【０２２２】
上記図１９に示したような、ホストコンピュータ１００の印刷データ編集装置１１０（印刷データ編集部）で生成されたジョブチケットは、ホストコンピュータ１００の印刷集中管理サーバ１２０（印刷集中管理部）に供給される。
【０２２３】
印刷集中管理サーバ１２０において、印刷情報制御部１２１は、印刷データ編集装置１１０のジョブチケット作成部１１４から受け取ったジョブチケットに基づいて、次のステップＳ２０６からの処理を実行することで、印刷動作を制御する。
【０２２４】
ステップＳ２０６：
印刷情報制御部１２１は、印刷サーバ１３０に対して、プリンタ用印刷情報としてジョブチケット及び印刷データを送信する。
【０２２５】
ステップＳ２０７：
印刷サーバ１３０は、印刷集中管理サーバ１２０からのジョブチケット及び印刷データに基づいて、上記図５に示したような印刷処理を実行する。
【０２２６】
すなわち、先ず、ステップＳ５０１において、印刷指示解釈部１３２は、印刷情報を受信する。そして、ステップＳ５０２において、印刷指示解釈部１３２は、当該印刷情報に含まれるジョブチケットを解釈する。
【０２２７】
次にステップＳ５０３において、プリンタドライバである印刷情報加工部１３３は、当該解釈結果に基づいて、上記印刷情報に含まれる印刷データの印刷用描画データへの変換及び加工処理を実行することで、印刷用描画データ及びプリンタ制御データを生成する。
【０２２８】
このとき、上記図１９に示すように、＜全体指示部＞における＜グループ指示＞は、“ａｎｎｏｔａｔｉｏｎ−１”及び“ａｎｎｏｔａｔｉｏｎ−２”の各グループともに、印刷フラグが“Ｔｒｕｅ”であるが、物理ページの４ページと論理ページの１０〜１１ページが該当するページ設定領域である＜ページ単位指示＞における＜追加オブジェクト指示＞では、印刷フラグが“Ｆａｌｓｅ”であるため、これらのページにおけるアノテーションの印刷のみ抑制され、印刷用画像データには反映されないことになる。
【０２２９】
すなわち、上記図１８に示すように、物理ページの４ページ１７０４では、「２００１年１１月６日」（ｈｉｚｕｋｅ．ｐｄｆ）という物理ページアノテーションの印刷が抑制され（図１８の１７０４）、論理ページの１０ページ及び１１ページ１７０５では、「○○○○○」（○○○○○．ｐｄｆ）という論理ページアノテーションの印刷が抑制され、それぞれ印刷用画像データには反映されない。
【０２３０】
次に、ステップＳ５０４において、印刷情報送信部１３４は、ステップＳ５０３で得られた上記印刷用描画データ及びプリンタ制御データを出力デバイス１４０（ｘ）に対して送信する。
【０２３１】
これにより、出力デバイス１４０（ｘ）において、印刷情報出力部１４１は、上記印刷用描画データ及びプリンタ制御データに基づいて、出力デバイス１４０（ｘ）であるプリンタによる印刷処理を実行することになる。ステップＳ５０５において、印刷サーバ１３０は、出力デバイス１４０（ｘ）の印刷処理状況を監視する。
【０２３２】
そして、ステップＳ５０６において、印刷サーバ１３０の出力部情報取得部１３１は、出力デバイス１４０（ｘ）での印刷結果の情報を、印刷集中管理サーバ１２０の印刷情報制御部１２１に通知する（ステップＳ５０６）。ここでいう印刷結果とは、印刷が正常に終了したことを示す印刷ログ情報に相当し、印刷範囲、印刷部数、ステープル、印刷デバイス情報等の情報を含んでいる。
【０２３３】
ステップＳ２０８〜ステップＳ２１０：
ステップＳ２０８において、ホストコンピュータ１００の印刷集中管理サーバ１２０の印刷情報制御部１２１は、印刷サーバ１３０から通知された印刷結果情報を取得する。そして、ステップＳ２０９において、印刷情報制御部１２１はジョブチケット編集部１２２に印刷結果情報を渡し、ジョブチケット編集部１２２は当該印刷結果情報をジョブチケットに対して追記する。
【０２３４】
そして、ステップＳ２１０において、印刷情報制御部１２１は、追記されたジョブチケットを印刷データと共に印刷情報（印刷データ及びジョブチケットのセット）として文書管理サーバ１５０の印刷情報保存部１５２に保存する。その後、本処理終了となる。
【０２３５】
図２０は、印刷結果にトラブルが無い場合のジョブチケットの一例を示したものである。
【０２３６】
以上説明したように本第４の実施の形態によれば、印刷データの印刷設定を記述するジョブチケットの全体設定領域に、追加描画オブジェクトのリンク情報、グループ名、印刷フラグを記述し、また、ジョブチケットに論理ページ単位の設定領域と物理ページ単位の設定領域とを設け、それぞれの設定領域に、グループ名と印刷フラグとを記述することにより、追加描画オブジェクトが文書に付加されている場合に追加描画オブジェクトを印刷するか印刷しないかを、全体設定領域の印刷フラグを書き換えることで実現し、更に、追加描画オブジェクトの配置対象領域を論理ページ単位または物理ページ単位に設定できるようにし、更に、物理ページおよび論理ページそれぞれで文書全体に対する追加描画オブジェクトの印刷設定に従わず、物理ページ単位および論理ページ単位に追加描画オブジェクトを例外設定として更に印刷するかを設定できるようにした。
【０２３７】
これにより、追加描画オブジェクトを文書に直接追記することなく、ジョブチケットに対する記述により追加描画オブジェクトを論理ページに配置することと物理ページに配置することを容易に実現でき、また、文書全体に対する追加描画オブジェクトの印刷可否とは独立に物理ページ単位および論理ページ単位に追加描画オブジェクトの印刷可否を切り替えることが可能となり、ユーザにとって、追加描画オブジェクトの表現の自由度が向上するという効果が得られる。
【０２３８】
尚、本発明の目的は、第１〜第４の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
【０２３９】
この場合、記憶媒体から読み出されたプログラムコード自体が第１〜第４の実施の形態の機能を実現することとなり、そのプログラムコードを記憶した記憶媒体及び当該プログラムコードは本発明を構成することとなる。
【０２４０】
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
【０２４１】
また、コンピュータが読みだしたプログラムコードを実行することにより、第１〜第４の実施の形態の機能が実現されるだけでなく、そのプログラムコードの指示に基づき、コンピュータ上で稼動しているＯＳ等が実際の処理の一部又は全部を行い、その処理によって本実施の形態の機能が実現される場合も含まれることは言うまでもない。
【０２４２】
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１〜第４の実施の形態の機能が実現される場合も含まれることは言うまでもない。
【０２４３】
図２１は、上記コンピュータの機能２０００を示したものである。
コンピュータ機能２０００は、上記図２１に示すように、ＣＰＵ２００１と、ＲＯＭ２００２と、ＲＡＭ２００３と、キーボード（ＫＢ）２００９のキーボードコントローラ（ＫＢＣ）２００５と、表示部としてのＣＲＴディスプレイ（ＣＲＴ）２０１０のＣＲＴコントローラ（ＣＲＴＣ）２００６と、ハードディスク（ＨＤ）２０１１及びフレキシブルディスク（ＦＤ）２０１２のディスクコントローラ（ＤＫＣ）２００７と、ネットワーク２０２０との接続のためのネットワークインターフェースコントローラ（ＮＩＣ）２００８とが、システムバス２００４を介して互いに通信可能に接続された構成としている。
【０２４４】
ＣＰＵ２００１は、ＲＯＭ２００２或いはＨＤ２０１１に記憶されたソフトウェア、或いはＦＤ２０１２より供給されるソフトウェアを実行することで、システムバス２００４に接続された各構成部を総括的に制御する。
すなわち、ＣＰＵ２００１は、所定の処理シーケンスに従った処理プログラムを、ＲＯＭ２００２、或いはＨＤ２０１１、或いはＦＤ２０１２から読み出して実行することで、第１〜第４の実施の形態での動作を実現するための制御を行う。
【０２４５】
ＲＡＭ２００３は、ＣＰＵ２００１の主メモリ或いはワークエリア等として機能する。
ＫＢＣ２００５は、ＫＢ２００９や図示していないポインティングデバイス等からの指示入力を制御する。ＣＲＴＣ２００６は、ＣＲＴ２０１０の表示を制御する。
【０２４６】
ＤＫＣ２００７は、ブートプログラム、種々のアプリケーション、編集ファイル、ユーザファイル、ネットワーク管理プログラム、及び本実施の形態における所定の処理プログラム等を記憶するＨＤ２０１１及びＦＤ２０１２とのアクセスを制御する。
ＮＩＣ２００８は、ネットワーク２０２０上の装置或いはシステムと双方向にデータをやりとりする。
【０２４７】
以上説明したように本実施の形態では、対象ページの印刷データに追加描画オブジェクトを付加して印刷出力するにあたり、追加描画オブジェクトに関する情報及び印刷出力の指示情報に基づいて、印刷出力で用いるジョブチケットを生成し、当該ジョブチケットに基づいて、対象ページの印刷データの印刷出力を実行するように構成した。
【０２４８】
ここでの追加描画オブジェクト（付加情報）とは、例えば、アノテーションや、ウォータマーク、フォームオーバーレイ、或いはバリアブルデータ（ダイレクトメール等のような、印刷物のある特定の位置に顧客にあわせた印刷を行うためのデータ）等のデータを示す。
上記の構成により、例えば、次のような効果（１）〜（７）を得ることができる。
【０２４９】
（１）ジョブチケットに対して印刷指示情報と共に追加描画オブジェクトに関する情報が含まれているので、このオブジェクトチケットを用いて印刷出力することで、オリジナルの印刷データを変更することなく、付加情報（追加描画オブジェクト）の印刷が可能となる。
【０２５０】
（２）印刷の目的や印刷物の配布対象等により、追加描画オブジェクトを付加したもの、或いは付加していないもの等のように、印刷内容を分けることが可能となる。
【０２５１】
（３）印刷データ及び印刷指示情報を利用して再印刷を行う際に、従来のように付加情報が印刷データに埋め込まれているわけではなく、印刷データに対応するオブジェクトチケットに付加情報が含まれているので、付加情報のみに対して、更新や、変更、或いは修正等の編集を行うことができる。
【０２５２】
（４）付加情報のみに対して編集を行おうとした場合に、従来のように、付加情報が印刷データに埋め込まれているわけではないので、印刷データに対して付加情報の埋込処理を行ったアプリケーションが不要であるため、印刷可能な環境（ＯＳや、プリンタ、或いはディスプレイ等）が制限されることがなくなる。これにより、例えば、携帯電話等から修正印刷指示を出すこと等が可能となる。
【０２５３】
（５）従来のように付加情報が印刷データに埋め込まれているわけではなく、印刷データに対応するオブジェクトチケットに付加情報が含まれているので、印刷データ及び印刷指示情報のみを保存する場合に、付加情報の埋込処理を行ったアプリケーション等を同時に保存する必要がなくなる。
【０２５４】
（６）例えば、数千ページに及ぶような大量の印刷物の場合であっても、それらのページの印刷データに対して、付加情報の一括的な更新や、変更、或いは修正等の編集が容易になる。
（７）ネットワークにおける印刷の利便性が向上する。
【０２５５】
【発明の効果】
以上説明したように、本発明によれば、印刷データの印刷設定を記述するジョブチケットの全体設定領域に、追加描画オブジェクトのグループ名を含むオブジェクト属性を記述し、所定単位の設定領域にグループ名を記述することにより、追加描画オブジェクトを文書に直接追記することなく、ジョブチケットに対する記述により追加描画オブジェクトを所定単位毎に配置することを容易に実現できる。
【０２５６】
また、ジョブチケットの全体設定領域に、追加描画オブジェクトの印刷フラグを含むオブジェクト属性を記述することで、追加描画オブジェクトが文書に付加されている場合に追加描画オブジェクトを印刷するか印刷しないかを、全体設定領域の印刷フラグを書き換えることで一括して実現でき、ジョブチケットに対する設定手段の処理が簡素化される。
【０２５７】
また、ジョブチケットの全体設定領域に、追加描画オブジェクトのグループ名と印刷フラグを含むオブジェクト属性を記述し、所定単位の設定領域にグループ名と印刷フラグとを記述することにより、所定単位毎に追加描画オブジェクトを印刷するか印刷しないかを文書全体に対する追加描画オブジェクトの設定とは独立して設定することが可能となり、ユーザにとって、追加描画オブジェクトの表現の自由度が向上する。
【０２５８】
また、所定単位の設定領域に、物理ページ設定領域と論理ページ設定領域とを設け、各設定領域に追加描画オブジェクトのグループ名を記述することにより、追加描画オブジェクトを論理ページに配置するか、物理ページに配置するかを簡単に設定することが可能となる。
【図面の簡単な説明】
【図１】第１の実施の形態において、本発明を適用した印刷システムの構成を示すブロック図である。
【図２】上記印刷システムの動作を説明するためのフローチャートである。
【図３】上記印刷システムの動作において、ジョブチケット作成処理を説明するためのフローチャートである。
【図４】上記ジョブチケット作成処理において、追加描画オブジェクト関連情報設定処理を説明するためのフローチャートである。
【図５】上記印刷システムの動作において、印刷サーバの印刷処理を説明するためのフローチャートである。
【図６】上記印刷システムにおいて、入力データと出力結果の一例を説明するための図である。
【図７】上記ジョブチケット作成処理で得られるジョブチケットの一例を説明するための図である。
【図８】上記印刷システムにおいて、処理結果にトラブルが無い場合の上記ジョブチケットの一例を説明するための図である。
【図９】第２の実施の形態の上記ジョブチケット作成処理において、追加描画オブジェクト関連情報設定処理を説明するためのフローチャートである。
【図１０】第２の実施の形態の上記印刷システムにおいて、入力データと出力結果の一例を説明するための図である。
【図１１】第２の実施の形態の上記ジョブチケット作成処理で得られるジョブチケットの一例を説明するための図である。
【図１２】第２の実施の形態の上記印刷システムにおいて、処理結果にトラブルが無い場合の上記ジョブチケットの一例を説明するための図である。
【図１３】第３の実施の形態の上記ジョブチケット作成処理において、追加描画オブジェクト関連情報設定処理を説明するためのフローチャートである。
【図１４】第３の実施の形態の上記印刷システムにおいて、入力データと出力結果の一例を説明するための図である。
【図１５】第３の実施の形態の上記ジョブチケット作成処理で得られるジョブチケットの一例を説明するための図である。
【図１６】第３の実施の形態の上記印刷システムにおいて、処理結果にトラブルが無い場合の上記ジョブチケットの一例を説明するための図である。
【図１７】第４の実施の形態の上記ジョブチケット作成処理において、追加描画オブジェクト関連情報設定処理を説明するためのフローチャートである。
【図１８】第４の実施の形態の上記印刷システムにおいて、入力データと出力結果の一例を説明するための図である。
【図１９】第４の実施の形態の上記ジョブチケット作成処理で得られるジョブチケットの一例を説明するための図である。
【図２０】第４の実施の形態の上記印刷システムにおいて、処理結果にトラブルが無い場合の上記ジョブチケットの一例を説明するための図である。
【図２１】上記印刷システムの機能をコンピュータに実現させるためのプログラムをコンピュータ読出可能な記憶媒体から読み出して実行する当該コンピュータの構成を示すブロック図である。
【符号の説明】
１００　印刷システム
１１０　ホストコンピュータ
１１１　印刷情報入力部
１１２　追加描画オブジェクトグループ設定部
１１３　追加描画オブジェクト印刷可否設定部
１１４　ジョブチケット作成部
１２０　印刷集中管理サーバ
１２１　印刷情報制御部
１２２　ジョブチケット編集部
１３０　印刷サーバ
１３１　出力部情報取得部
１３２　印刷指示解釈部
１３３　印刷情報加工部
１３４　印刷情報送信部
１４０（ｘ）　出力デバイス（印刷デバイス）
１４１　印刷情報出力部
１５０　文書管理サーバ
１５１　印刷情報保存管理部
１５２　印刷情報保存部
【図１】
2004005576.tif 000003
【図２】
2004005576.tif 000004
【図３】
2004005576.tif 000005
【図４】
2004005576.tif 000006
【図５】
2004005576.tif 000007
【図６】
2004005576.tif 000008
【図７】
2004005576.tif 000009
【図８】
2004005576.tif 000010
【図９】
2004005576.tif 000011
【図１０】
2004005576.tif 000012
【図１１】
2004005576.tif 000013
【図１２】
2004005576.tif 000014
【図１３】
2004005576.tif 000015
【図１４】
2004005576.tif 000016
【図１５】
2004005576.tif 000017
【図１６】
2004005576.tif 000018
【図１７】
2004005576.tif 000019
【図１８】
2004005576.tif 000020
【図１９】
2004005576.tif 000021
【図２０】
2004005576.tif 000022
【図２１】
2004005576.tif 000023